(57)【特許請求の範囲】
【請求項１】
直線的に配置された外周梁とそれに直交する屋内梁との接続部における断熱気密構造であって、
前記外周梁の屋内側面を外周断熱材により覆うとともに、前記接続部から屋内側へ所定距離だけ離れた位置までにおける前記屋内梁の両側面及び下面をそれぞれ側面断熱材及び下面断熱材により覆い、
前記外周断熱材の屋内側面に気密シートを密着させて覆い、
前記接続部に、前記気密シートの屋内側面に密着する外周密着面と、前記側面断熱材及び下面断熱材の周囲に密着する断熱材密着部と、前記側面断熱材及び下面断熱材が設けられた部分より屋内側における屋内梁の周囲に密着する梁密着部とを備える気密カバーを密着させたことを特徴とする梁の接続部における断熱気密構造。
【請求項２】
前記気密カバーは、前記外周密着面が平面形状に形成され、前記断熱材密着部が屋内梁に取り付けられた状態における前記側面断熱材及び下面断熱材の外周形状と略同一形状の周囲密着部と、屋内梁の断面形状に合致する嵌合凹部が形成されて前記側面断熱材及び下面断熱材と屋内梁との段差部に密着する段差密着部とを有して形成され、前記梁密着部が屋内梁の外周形状と略同一形状に形成されたことを特徴とする請求項１記載の梁の接続部における断熱気密構造。
【請求項３】
前記接続部の近傍から屋内側へ筋かいが延設されている場合において、
前記気密カバーの所定位置に切り目を設けて筋かいを挿通するとともに、該切り目の周囲に突出する薄厚の気密片を気密カバーと一体に設け、該気密片を筋かいに密着させたことを特徴とする請求項１又は２記載の梁の接続部における断熱気密構造。
【発明の詳細な説明】
【０００１】
【発明の属する技術分野】
本発明は、住宅等の建物の断熱気密構造、特に、直線的に配置された外周梁とそれに直交する屋内梁との接続部における断熱気密構造に関するものである。
【０００２】
【従来の技術】
近年、住宅には、計画的な換気による住宅の快適性の向上や、断熱性の向上による省エネルギー化を図るために、住宅の気密性が求められるようになってきている。一般に、気密住宅とは、気密性能を表す相当隙間面積が床面積１平方メートル当たり５平方センチメートル以下のものをいい、これを達成するために、住宅の内部空間全体を気密面で囲うように気密工法が施工される。
【０００３】
気密面の設定の方法として、住宅の各階のそれぞれを、独自の気密面で囲う方法と、住宅の全体を気密面で囲う方法とがある。後者を採用した場合には、気密工法を施工する面積が少なくなるという利点があるが、各階の間の梁部分、特に梁の接続部の気密を確保することが難しい。
【０００４】
現在、住宅の各階、例えば１階と２階との間に設けられた梁部分の気密を確保する方法として、湿式気密工法と乾式気密工法とがある。湿式気密工法は、梁の接続部等にウレタン等の樹脂を吹き付けることにより気密性を確保するものであるが、ウレタンを吹き付ける際に、有毒ガスの疑いがある塩素系ガスが発生するので、作業者の安全を確保するために、同時進行で内装工事等を施工することができない。また、ウレタンの吹付けは、大工等は行うことができず、専門工を必要とする。これらにより、湿式気密工法は、施工効率が悪いという問題があった。更に、ウレタンはその発泡のために通常はフロンガスを使用しており、環境面からも問題があった。
【０００５】
一方、乾式気密工法では、上記問題を解決することができるが、梁の接続部等は、その形状が複雑なものであるため、気密性を確保することが困難であった。すなわち、図１４に示すように、Ｈ型の外周梁５１を勝ち側として、該外周梁５１に、接続端部５２を有するＨ型の屋内梁５３が直交して当接し、該接続端部５２に設けられた挿通孔と外周梁５１に設けられた挿通孔とに挿通されるボルト５４により固定される接続部においては、図１５に示すように、外周梁５１の屋内側面に外周断熱材５５を配置し、その上に発泡ポリエチレン等からなる気密シート５６を密着させ、該気密シート５６の端部と屋内梁５３の接続端部５２の間に生じた隙間に気密テープ５７を折り曲げながら貼り付けることにより密封し、外周梁５１の屋内側面に沿って気密性を確保していた。
【０００６】
【発明が解決しようとする課題】
しかし、このような従来の工法では、梁の接続部の形状に従い、適宜、現場において気密シート５６の加工が必要となるが、梁の接続部の形状は複雑であるので、その加工は容易でない。さらに、気密テープ５７を複雑な形状に合わせて折り曲げながら貼り付けるので、気密テープ５７に歪みや隙間が生じやすく、これにより、気密性を十分に確保できないという問題がある。また、屋内梁５３が接続されている外周梁５１は外気に接しているので、外気の温度が屋内の気温よりも低い場合には、外周梁を通して屋内梁までもが低温となることがある。このため、屋内の比較的暖かく湿った空気と接している屋内梁に結露が発生し易いという問題もある。
【０００７】
本発明は、上記の点に鑑みてなされたものであり、住宅等の建物の断熱気密構造、特に、直線的に配置された外周梁とそれに直交する屋内梁との接続部において、簡易な施工により確実に気密性を確保できるようにするとともに、結露が生じないようにすることができる梁の接続部の断熱気密構造を提供することを技術課題とするものである。
【０００８】
【課題を解決するための手段】
上記技術課題を解決するための具体的手段は、次のようなものである。すなわち、請求項１に記載する梁の接続部における断熱気密構造は、直線的に配置された外周梁とそれに直交する屋内梁との接続部における断熱気密構造であって、前記外周梁の屋内側面を外周断熱材により覆うとともに、前記接続部から屋内側へ所定距離だけ離れた位置までにおける前記屋内梁の両側面及び下面をそれぞれ側面断熱材及び下面断熱材により覆い、前記外周断熱材の屋内側面に気密シートを密着させて覆い、前記接続部に、前記気密シートの屋内側面に密着する外周密着面と、前記側面断熱材及び下面断熱材の周囲に密着する断熱材密着部と、前記側面断熱材及び下面断熱材が設けられた部分より屋内側における屋内梁の周囲に密着する梁密着部とを備える気密カバーを密着させたことを特徴とするものである。
【０００９】
請求項２に記載する梁の接続部における断熱気密構造は、請求項１に記載する構成において、前記気密カバーは、前記外周密着面が平面形状に形成され、前記断熱材密着部が屋内梁に取り付けられた状態における前記側面断熱材及び下面断熱材の外周形状と略同一形状の周囲密着部と、屋内梁の断面形状に合致する嵌合凹部が形成されて前記側面断熱材及び下面断熱材と屋内梁との段差部に密着する段差密着部とを有して形成され、前記梁密着部が屋内梁の外周形状と略同一形状に形成されたことを特徴とするものである。
【００１０】
請求項３に記載する梁の接続部における断熱気密構造は、請求項１又は２に記載する構成において、前記接続部の近傍から屋内側へ筋かいが延設されている場合において、前記気密カバーの所定位置に切り目を設けて筋かいを挿通するとともに、該切り目の周囲に突出する薄厚の気密片を気密カバーと一体に設け、該気密片を筋かいに密着させたことを特徴とするものである。
【００１１】
【発明の実施の形態】
以下、本発明に係る梁の接続部における断熱気密構造について図面に基づいて説明する。本発明の第１の実施形態に係る梁の接続部における断熱気密構造は、図１に示すように、直線的に配置された外周梁１とそれに直交する屋内梁２との接続部Ａ、Ｂにおける断熱気密構造であって、前記外周梁１の屋内側面を外周断熱材３により覆うとともに、前記接続部Ａ、Ｂから屋内側へ所定距離Ｌだけ離れた位置までにおける前記屋内梁２の一側面、他側面及び下面４をそれぞれ側面断熱材５及び下面断熱材６（図５参照）により覆い、前記外周断熱材３の屋内側面に気密シート７を密着させて覆い、前記接続部Ａ、Ｂに、前記気密シート７の屋内側面に密着する外周密着面８と、前記側面断熱材５及び下面断熱材６の周囲に密着する断熱材密着部９と、前記側面断熱材５及び下面断熱材６が設けられた部分より屋内側における屋内梁２の周囲に密着する梁密着部１０とを備える気密カバー１１を密着させたものである。以下更に詳細に説明する。
【００１２】
図２は、住宅の各階、例えば１階と２階との間に設けられた梁の配置を示した平面図であり、図中の斜線部は気密面を設けて気密性を確保すべき部分を示している。該気密面に沿って配置される外周梁１とそれに直交する屋内梁２とが接続する接続部の態様としては、外周梁１に対して屋内梁２が勝ち側として接続する接続部Ａと、外周梁１に対して屋内梁２が負け側として接続する接続部Ｂとがある。ここでは、図中の接続部Ａにおける断熱気密構造を主として図面により説明するが、接続部Ｂにおいても全く同様の断熱気密構造とすることが可能である。
【００１３】
すなわち、接続部Ａにおいては、図３に示すように、接続端部１２を有する２本のＨ形断面の外周梁１が、同じくＨ形断面の屋内梁２を両側から挟み込むようにして当接し、２本の外周梁１のそれぞれの接続端部１２に設けられた挿通孔と屋内梁２のウェブに設けられた挿通孔とに挿通されたボルト１３により固定されて構成されている。また、外周梁１は、軸組１４の上に配置されており、該軸組１４の屋内側には断熱内壁枠１５が配設されている。一方、接続部Ｂにおいては、図４に示すように、Ｈ形断面の外周梁１の屋内側面に、接続端部１２を有するＨ形断面の屋内梁２が当接され、該接続端部１２に設けられた挿通孔と外周梁１のウェブに設けられた挿通孔とに挿通されたボルト１３により固定されて構成されている。
【００１４】
そして、図５に示すように、前記外周梁１の屋内側のＨ形溝１６に外周断熱材３を隙間なく配設して屋内側面を断熱材により覆うとともに、前記屋内梁２の一側及び他側のＨ形溝１７、１８並びに下面４にそれぞれ一定長さの側面断熱材５及び下面断熱材６を隙間なく配設して前記接続部Ａから屋内側へ所定距離Ｌだけ離れた位置までにおける一側面、他側面及び下面４を断熱材により覆う。該所定距離Ｌとしては、外周梁１を通して屋内の気温よりも低温となる部分を覆い結露を防止するために十分な距離とし、例えば、前記接続部Ａから５０〜１００ｃｍ程度とする。また、外周梁１と断熱内壁枠１５との間に形成される空間にも隙間断熱材１９を隙間なく配設する。前記断熱材３、５、６は、例えばグラスウール等の断熱素材を、予め配設すべき空間に合致するように形成した袋体内に詰めたもの等を使用することができる。該袋体は、断熱素材の飛散等を防止するために合成樹脂等の隙間のない部材によって形成する。
【００１５】
次に、図６に示すように、前記外周断熱材３の屋内側面における屋内梁２の両側に気密シート７を密着させて配置する。この際、気密シート７の上端側は外周梁１及び屋内梁２の上面に載置されて床下地を構成する軽量気泡コンクリート板３７の下面に沿って水平方向に折り曲げ、下端側は隙間断熱材１９及び断熱内壁枠１５の上部を覆うようにして貼り付ける。ただし、屋内梁２の下方には、気密シート７が配置されず、隙間断熱材１９及び断熱内壁枠１５の上部が露出している。気密シート７としては、例えばシート状に形成した発泡ポリエチレンなどを使用することができる。
【００１６】
その後、図１に示すように、接続部Ａには、気密カバー１１が密着して配置される。該気密カバー１１は、図７にも示すように、前記気密シート７の屋内側面に密着する外周密着面８と、前記側面断熱材５及び下面断熱材６の周囲に密着する断熱材密着部９と、前記側面断熱材５及び下面断熱材６が設けられた部分より屋内側であって側面断熱材５及び下面断熱材６が設けられていない部分における屋内梁２の周囲に密着する梁密着部１０と、外周梁１及び屋内梁２の上面に載置される軽量気泡コンクリート板３７の下面に密着する上面密着面２０とを備え、第１気密カバー２１、第２気密カバー２２、第３気密カバー２３及び第４気密カバー２４の４個に分割して形成されている。ここでは、気密カバー１１としては、例えばシート状のポリプロピレンを所定の形状に形成したもの等を使用することができる。
【００１７】
より詳しくは、図８にも示すように、第１気密カバー２１、第２気密カバー２２、第３気密カバー２３及び第４気密カバー２４を１個の気密カバー１１に結合した結合状態において、前記外周密着面８は、気密カバー１１の屋外側の端部に設けられ、前記接続部Ａの周囲における前記気密シート７、並びに、屋内梁２の下方の気密シート７が設けられていない部分における隙間断熱材１９及び断熱内壁枠１５の上部を覆う大きさの矩形の平面形状に形成された部分であって、幅方向中央部の上端から下方にかけて側面断熱材５及び下面断熱材６を取り付けた状態の屋内梁２の断面形状に合致するコ字形の開口部２５を有して構成されている。
【００１８】
また、前記断熱材密着部９は、外周密着面８に対して垂直に立設された、上面及び屋外側面を除く大略箱状部分であって、周囲密着部２６と段差密着部２７とを有して構成されている。ここで、前記周囲密着部２６は、屋内梁２に取り付けられた状態における前記側面断熱材５及び下面断熱材６の外周形状、すなわち、側面断熱材５及び下面断熱材６の側面及び下面の形状と略同一形状のコ字形断面に形成されたものであり、前記段差密着部２７は、屋内梁２を挿通するために屋内梁２の断面形状に合致するＨ形の嵌合凹部２８が形成され、前記側面断熱材５及び下面断熱材６と屋内梁２との段差部、すなわち、側面断熱材５及び下面断熱材６の屋内側端面に密着する平面形状に形成されたものである。
【００１９】
そして、前記梁密着部１０は、断熱材密着部９の前記段差密着部２７に対して垂直に立設され、屋内梁２の周囲に密着するように、屋内梁２の外周形状と略同一形状のＨ形断面に形成されている。すなわち、屋内梁２を挿通するための前記Ｈ形の嵌合凹部２８を囲む形状を屋内側へ一定距離だけ延設して形成したものである。
【００２０】
前記上面密着面２０は、一側面側及び他側面側における外周密着面８、断熱材密着部９及び梁密着部１０のそれぞれの上端部において、これらに対して直角に、すなわち、地面に対して水平に設けられる平面状部分である。
【００２１】
そして、このような気密カバー１１を構成する前記第１気密カバー２１は、屋内梁２の一側面側の屋外側に配置されるものであって、外周密着面８の一側面側部分と、断熱材密着部９の一側面側の屋外側部分と、上面密着面２０の一側面側の屋外側部分とを有して形成されている。前記第２気密カバー２２は、屋内梁２の他側面側の屋外側に配置されるものであって、前記第１気密カバー２１と鏡対称形状に形成され、外周密着面８の他側面側部分と、断熱材密着部９の他側面側の屋外側部分と、上面密着面２０の他側面側の屋外側部分とを有している。前記第３気密カバー２３は、屋内梁２の一側面側の屋内側に配置されるものであって、断熱材密着部９の一側面側の屋内側部分と、梁密着部１０の一側面側部分と、上面密着面２０の一側面側の屋内側部分とを有して形成されている。前記第４気密カバー２４は、屋内梁２の他側面側の屋内側に配置されるものであって、前記第３気密カバー２３と鏡対称形状に形成され、断熱材密着部９の他側面側の屋内側部分と、梁密着部１０の他側面側部分と、上面密着面２０の他側面側の屋内側部分とを有している。
【００２２】
このように、気密カバー１１を４個に分割して形成したのは、気密カバー１１の製作を容易にするとともに、接続部Ａ、Ｂへの取り付けを容易にするためである。また、図示しないが、第１気密カバー２１、第２気密カバー２２、第３気密カバー２３及び第４気密カバー２４の密着面には、あらかじめ両面粘着テープが設けられており、それぞれ密着すべき面に対して容易に密着させることができ、気密性を確保することができるようになっている。
【００２３】
前記気密カバー１１の接続部Ａへの取り付けは、第１気密カバー２１および第２気密カバーを先に取り付けた後、第３気密カバー２３及び第４気密カバー２４の取り付けを行う。図９に示すように、第１気密カバー２１及び第２気密カバー２２は、前記外周密着面８をそれぞれ屋内梁２の両側に配置された気密シート７と、屋内梁２の下側の隙間断熱材１９及び断熱内壁枠１５の上部とに密着させるとともに、前記断熱材密着部９をそれぞれ屋内梁２に取り付けた側面断熱材５及び下面断熱材６の側面及び下面に密着させて配置する。この際、第１気密カバー２１と第２気密カバー２２とは、下面断熱材６の下面及びその下方の隙間断熱材１９及び断熱内壁枠１５の上部の屋内側面において一定幅で重なるように形成されており（図８参照）、この重合部において密着させて気密性を確保する。
【００２４】
次に、図１に示すように、第３気密カバー２３及び第４気密カバー２４は、前記断熱材密着部９をそれぞれ屋内梁２に取り付けた側面断熱材５及び下面断熱材６の側面、下面及び屋内側端面に密着させるとともに、前記梁密着部１０を屋内梁２の前記側面断熱材５及び下面断熱材６が設けられた部分より屋内側の周囲に密着させて配置する。この際、第３気密カバー２３と第４気密カバー２４とは、下面断熱材の下面及び屋内側端面、並びに屋内梁２の下面において一定幅で重なるように形成されており、更に、第１気密カバー２１及び第２気密カバー２２と第３気密カバー２３及び第４気密カバー２４とは、側面断熱材５及び下面断熱材６の側面及び下面において一定幅で重なるように形成されており、この重合部において密着させて気密性を確保する。
【００２５】
ここで、第１気密カバー２１、第２気密カバー２２、第３気密カバー２３及び第４気密カバー２４のそれぞれの部分への密着は前記両面粘着テープ（図示せず）で接着させることにより行う。なお、両面密着テープを設けずに、気密性を有する帯状の片面粘着テープである気密テープ（図示せず）をそれぞれの密着部分の目地の上から貼り付けることにより気密性を確保することもできる。
【００２６】
次に本発明の第２の実施形態に係る梁の接続部における断熱気密構造について説明する。これは、図１０に示すように、前記接続部Ａの近傍から屋内側へ筋かい２９が延設されている場合に、前記第１の実施形態に係る梁の接続部における断熱気密構造において、前記気密カバー１１の所定位置に切り目３０（図１２参照）を設けて筋かい２９を挿通するとともに、該切り目３０の周囲に突出する薄厚の気密片３１を気密カバー１１と一体に設け、該気密片３１を筋かい２９に密着させることにより筋かい２９との交差部においても気密性を確保するものである。以下、詳細に説明する。
【００２７】
図１１に示すように、前記筋かい２９は、屋内梁２の下側フランジにおける接続部Ａの近傍に取り付けられ、そこから屋内側へ延設されている。ただし、筋かい２９の取り付けられる位置はこれに限定されるものではなく、外周梁１に取り付けられる場合など、他の位置に取り付けられる場合であっても全く同様の断熱気密構造とすることができる。
【００２８】
そして、図１０に示すように、前記第１の実施形態と同様に外周断熱材３、側面断熱材５及び下面断熱材６（図５参照）、気密シート７並びに気密カバー１１を配置する。ここでは、前記筋かい２９は屋内梁２の下側フランジに取り付けられているので、側面断熱材５を配置する際に干渉することはなく、そのまま配置することができる。ただし、筋かい２９が他の位置に取り付けられているために、断熱材３、５、６と筋かい２９とが干渉する場合には、断熱材３、５、６の当該干渉する部分に挿通孔を設けるなどして筋かい２９を挿通して配置する。
【００２９】
前記気密カバー１１の所定位置、すなわち、前記筋かい２９と交差する位置には切り目３０（図１２参照）が設けられ、筋かい２９が挿通される。ここで、該筋かい２９の接続端部３２は、垂直方向の厚さが薄く、水平方向に一定の幅を有する形状に形成されているので（図１１参照）、これに合わせて、前記切り目３０は気密カバー１１の所定位置を水平方向に直線状に切断することにより設けている。ただし、切り目３０の形状はこれに限定されるものではなく、筋かい２９を挿通できる大きさの開口部を形成することができるものであればどのような形状としても良い。したがって、例えば垂直方向に直線状に切断し、又は、十字形に切断して形成することができる。なお、高い気密性を確保するためには切り目３０の大きさはできる限り小さい方が望ましい。
【００３０】
前記切り目３０の周囲には、突出する薄厚の気密片３１を気密カバー１１と一体に設ける。ここでは該気密片３１は、略矩形の平面状に形成されており、水平方向に直線状に形成された前記切り目３０の上側及び下側において、該切り目３０に対して平行に取り付けられている。ただし、気密片３１の形状はこれに限定されるものではなく、例えば略半円形やその他の多角形等の平面状に形成したものを使用することもできる。また、切り目３０の上下だけでなく、左右両側等に取り付けることもできる。なお、気密片３１の材質としては、気密カバー１１と同様のものを使用すると好適である。気密片３１の取付けについては、気密片３１の一方の端部を直角に折り曲げて取付面３３とし、該取付面３３に両面粘着テープを貼り付け又は接着剤を塗布するなどして気密カバー１１に接着することにより行っている。
【００３１】
そして、図１０及び図１２に示すように、前記気密片３１の密着面、すなわち、上側の気密片３１の下面３４及び下側の気密片３１の上面３５には、それぞれ両面粘着テープが設けられており、気密片３１により筋かい２９を両側から挟んで密着させている。これにより筋かい２９との交差部においても気密性を確保している。なお、更に気密性を高めるために、図１３に示すように、気密片３１と筋かい２９との接続部の目地、及び該目地から筋かい２９に沿って屋内側へ所定距離だけ離れた位置まで覆う筋かいカバー３６を設ける場合もある。該筋かいカバー３６は、平面状部材を中央で２つに折り畳むとともに、その接合面に両面粘着テープを設けて形成した長方形状のカバーであり、例えばシート状に形成した発泡ポリエチレンなどを使用することができる。筋かいカバー３６を設けることにより、気密片３１と筋かい２９との隙間を完全に覆うことができるので、この部分における気密性を更に高めることができる。
【００３２】
【発明の効果】
以上説明したように、本発明の請求項１に係る梁の接続部における断熱気密構造によれば、前記外周梁の屋内側面、並びに前記接続部から屋内側へ所定距離だけ離れた位置までにおける前記屋内梁の両側面及び下面をそれぞれ断熱材により覆うとともに、前記気密シート及び気密カバーにより断熱材の屋内側に気密面を形成しているので、外部の空気により冷やされて低温になった外周梁及び屋内梁の屋外側部分が、屋内の比較的暖かく湿った空気に触れることがなく、梁の周囲に結露が生じることを防止することができる。また、前記気密カバーを用いることにより、外周梁と屋内梁の接続部の複雑な形状の部分に被せて密着させるだけで容易に且つ確実に気密性を確保することができる。
【００３３】
本発明の請求項２に係る梁の接続部における断熱気密構造によれば、上述の効果に加えて、前記気密カバーは、前記外周密着面が平面形状に形成され、前記断熱材密着部が屋内梁に取り付けられた状態における前記側面断熱材及び下面断熱材の外周形状と略同一形状の周囲密着部と、屋内梁の断面形状に合致する嵌合凹部が形成されて前記側面断熱材及び下面断熱材と屋内梁との段差部に密着する段差密着部とを有して形成され、前記梁密着部が屋内梁の外周形状と略同一形状に形成されたことにより、外周梁と屋内梁の接続部の複雑な形状の部分に容易且つ確実に密着させることができるので、簡易な施工で確実に気密性を確保することができる。
【００３４】
本発明の請求項３に係る梁の接続部における断熱気密構造によれば、上述の効果に加えて、前記気密カバーの所定位置に切り目を設けて筋かいを挿通するとともに、該切り目の周囲に突出する薄厚の気密片を気密カバーと一体に設け、該気密片を筋かいに密着させたことにより、前記接続部の近傍から屋内側へ筋かいが延設されている場合においても、当該接続部において高い気密性を確保することができる。
【図面の簡単な説明】
【図１】本発明の第１の実施形態に係る梁の接続部における断熱気密構造を示す斜視図である。
【図２】住宅の各階の間に設けられた梁の配置を示した平面図である。
【図３】外周梁に対して屋内梁が勝ち側として接続する場合の梁の接続部を示す斜視図である。
【図４】外周梁に対して屋内梁が負け側として接続する場合の梁の接続部を示す斜視図である。
【図５】梁の接続部に断熱材を配置した状態を示す斜視図である。
【図６】梁の接続部に気密シートを配置した状態を示す斜視図である。
【図７】本発明の実施形態に係る気密カバーを示す斜視図である。
【図８】本発明の実施形態に係る気密カバーを結合した状態を示す斜視図である。
【図９】梁の接続部に第１気密カバー及び第２気密カバーを配置した状態を示す斜視図である。
【図１０】本発明の第２の実施形態に係る梁の接続部における断熱気密構造を示す斜視図である。
【図１１】筋かいが配置された梁の接続部を示す斜視図である。
【図１２】本発明の第２の実施形態に係る梁の接続部において、筋かいと気密カバーとの交差部の気密構造を示す断面図である。
【図１３】本発明の第２の実施形態に係る梁の接続部における断熱気密構造において、筋かいカバーを取り付ける際の状態を示す斜視図である。
【図１４】従来例に係る梁の接続部であって、外周梁に対して屋内梁が負け側として接続する場合の梁の接続部を示す斜視図である。
【図１５】従来例に係る梁の接続部における断熱気密構造を示す斜視図である。
【符号の説明】
１  外周梁
２  屋内梁
３  外周断熱材
５  側面断熱材
６  下面断熱材
７  気密シート
８  気密カバーの外周密着面
９  気密カバーの断熱材密着部
１０  気密カバーの梁密着部
１１  気密カバー
１５  断熱内壁枠
１９  隙間断熱材
２０  気密カバーの上面密着面
２１  第１気密カバー
２２  第２気密カバー
２３  第３気密カバー
２４  第４気密カバー
２５  外周密着面の開口部
２６  断面密着部の周囲密着部
２７  断面密着部の段差密着部
２８  断面密着部の段差密着部の嵌合凹部
２９  筋かい
３０  気密カバーの切り目
３１  気密片
３３  気密片の取付面
３６  筋かいカバー
【図１】
0004124311.tif 000002
【図２】
0004124311.tif 000003
【図３】
0004124311.tif 000004
【図４】
0004124311.tif 000005
【図５】
0004124311.tif 000006
【図６】
0004124311.tif 000007
【図７】
0004124311.tif 000008
【図８】
0004124311.tif 000009
【図９】
0004124311.tif 000010
【図１０】
0004124311.tif 000011
【図１１】
0004124311.tif 000012
【図１２】
0004124311.tif 000013
【図１３】
0004124311.tif 000014
【図１４】
0004124311.tif 000015
【図１５】
0004124311.tif 000016